(57)【要約】【課題】ユーザの日々の使い勝手を損なわず、暗証キーの盗用を防止する。。【解決手段】非定常を検知した端末装置の設置箇所（Ｓ２５）や、暗証番号を入力する画面を表示させるまでの警報装置のスイッチ操作の操作順シーケンスなどが普段と異なる場合（Ｓ２６）のみ、侵入者などの家人以外の者が暗証番号の盗用操作をしている可能性を考えて暗証キー入力画面を変更する（Ｓ２８）ことで、家人が日常操作を行う操作の利便性を損なう事なく、画面の傷や汚れから暗証番号を特定できないようにして暗証番号の盗用を防止する。【選択図】図５
2006146408.tif 000002
【特許請求の範囲】
【請求項１】
定常および非定常の状態を検知する少なくとも１つ以上の端末機器との通信を行う警報装置において、前記警報装置は、暗証キー入力画面を使って暗証キーを入力する暗証キー入力部と、前記暗証キー入力部より入力された暗証キーを認証して該警報装置の所定動作の実行可否を判断する制御部とを備え、前記端末機器からの通信内容が所定のシーケンスと異なる場合には前記暗証キー入力画面の表示状態を不規則に変更する暗証キー機能を備えた警報装置。
【請求項２】
所定のシーケンスと異なる場合が、家人が宅外と宅内とを出入りする際の所定経路以外の経路を検知するよう設置された端末機器が非定常の状態を検知した場合とする請求項１記載の暗証キー機能を備えた警報装置。
【請求項３】
所定のシーケンスと異なる場合が、暗証キー入力画面を表示する際の警報装置の操作シーケンスが所定の操作シーケンスと異なる場合とする請求項１記載の暗証キー機能を備えた警報装置。
【請求項４】
入力画面の表示状態を不規則に変更は、表示画面に対する暗証キー入力画面の相対位置を変更する請求項１記載の暗証キー機能を備えた警報装置。
【請求項５】
入力画面の表示状態を不規則に変更は、暗証キー入力画面内の各暗証キーの順序を変更する請求項１記載の暗証キー機能を備えた警報装置。
【請求項６】
請求項１〜５のいずれかに記載の暗証キーを備えた警報装置の少なくとも一つの手段をコンピュータに実行させるためのプログラム。
【発明の詳細な説明】
【技術分野】
【０００１】
本発明は、暗証番号などの秘匿性の高い暗証キー情報を扱う警報装置およびそのプログラムに関するものであり、特に家人が暗証キーの操作を行う際の慣れなどの利便性を損わず、且つ、画面の傷や汚れ等により他人に暗証キーに関する情報を読み取られる危険性を大きく低減させることができる安全対策を備えた装置の提供を目的とするものである。
【背景技術】
【０００２】
従来、銀行の自動預け払い機やビル内での入退出セキュリティ装置などでは、４桁程度の数字からなる暗証番号をユーザにテンキー装置や表示画面のタッチパネルより入力させ、この暗証番号を認証して併用されるカードの磁気部分に記録したＩＤコードをキーとして認証判定を行い、出金やドアの開錠を行うセキュリティ機能が利用されている。
【０００３】
一方、家庭向けの警報装置も普及しつつあり、こうした警報装置では帰宅した際などに家人自身が人感センサなどに反応して警報音が吹鳴したり外部通報を行ったりといった警報が発令するのを防止するため、実際にセンサが検知してから警報発令までにディレイ時間を設けて、このディレイ時間内に暗証番号などを入力して素早く警報解除すれば警報発令が停止する機能を備えている。
【０００４】
ところが、こうした暗証キーによるセキュリティ機能では、背後からの腕や手の位置や動きを観察したり、画面への傷や指紋などの皮脂汚れの分布度合いなどを読み取る事により、どの数字が暗証番号に使用されたかといった情報が漏洩する恐れが危惧されている。例えば、家庭の電気錠や警報装置などでは、通常は侵入者などの異常が発生しない日々が続く事が多いため、油断心や操作の簡易化のため、５５５５といった同一数字の羅列や１２３４などの単純な組合せの暗証番号を振ったりする傾向が多くなる事も指摘されている。こうした状況では、日々同じ暗証キーを常用的に使う事になるため、暗証キーに含まれる数字の周辺が局所的に汚れたり刻印数字の薄れが発生し、万が一これらの数字を読み取られてしまった場合には、４桁程度の暗証番号では全ての組合せでも僅か２４通り程度であるため暗証番号が盗用されるきっかけとなり、侵入者などが有った際に電気錠が開錠されたり警報装置による警報発令が解除されたりする危険性が懸念される。
【０００５】
一般的に暗証キーの秘匿性を高める方法としては、パソコンなどを用いた装置ではキーボードを備えているため、数字以外にアルファベットの大文字、小文字や特別な制御キーを混ぜたり、桁数の制限を長くすると共に可変長にしたりすることにより組合せ数を増やし、暗証キーすなわちパスワードの漏洩が起こりにくくする対策が取られる事が多い。
【０００６】
ところが、前述の銀行の自動預け払い機や入退出セキュリティ装置などでは、主に装置の大きさやコスト面の問題や、パソコンなどを使いなれない高齢者など不特定多数のユーザの使い勝手などを考慮して、小型の液晶や何行かの表示を行うだけのライン液晶などの表示装置を使い、入力装置としてもタッチパネルや数個の押しボタン式スイッチ、十字パッドなどシンプルな入力デバイスを備えるだけである構成の場合が多い。
【０００７】
従って、パソコンを用いた装置のように桁数の多い暗証キーやアルファベットを多用するパスワードなどを導入する方式は、応用が不向きである上、他の装置の暗証番号と混同したり失念することなどユーザ側の利便性の面でも適当でないと考えられる。
【０００８】
これらの課題を踏まえつつ暗証番号の漏洩を防止する方法に関する提案もいくか開示されている（例えば、特許文献１、特許文献２および特許文献３参照）。
【０００９】
例えば、特許文献１では、暗証番号の入力画面が表示される度に、数字キーを並べたテンキー画面の表示装置上での相対位置、テンキー画面での数字の並び方を不規則に変更する構成にすることにより、押圧した画面上の位置と数字キーとの対応が特定しにくくしている。
【００１０】
次に特許文献２では、通常は千の位から１の位に向かっての順番で暗証番号の各桁の数字を入力されるのを、十の位の次に千の位、１の位を入力するようにカーソルを点滅させて入力を促すといった様に、入力桁の順序をランダムに変更することにより、入力する数字が判ってもどの桁に対応するのかが判らない仕組みにしている。
【００１１】
また特許文献３では、画面内のマトリックス状に設定された表示区画にテンキー数字配列を表示し、暗証番号を一桁入力する毎にテンキー数字が上下または左右方向にランダムにずれて再表示されることにより、押圧した画面上の位置と数字キーとの対応が特定しにくくしている。
【特許文献１】特開２０００−２０４６８号公報
【特許文献２】特開２０００−３３０６９９号公報
【特許文献３】特開２００３−１９６００６号公報
【発明の開示】
【発明が解決しようとする課題】
【００１２】
上記のように、暗証番号の入力桁の順序をランダムにする方法では、４桁程度の暗証番号の場合には、腕や指の動きにより画面を押圧する位置から４つの数字が決まってしまうと、例え桁順序がランダムであっても可能な組合せの数が限定される他、同じ数字を繰り返すような暗証番号では更に組合せ数が絞られてしまうことになり、暗証番号が盗用される可能性が拭えない。
【００１３】
また、数字キーの並び方や表示位置をランダムに変更する方法では、家人自身も日々反復する暗証番号を入力動作による慣れをきっかけとして暗証番号を記憶する補足としているため、不必要に頻繁に数字キーの並び順序や表示位置を変えたのでは、家人自身の日常操作において、うっかり操作ミスや、とっさに際に失念してしまうなどの混乱を招いて却って使い勝手を悪くしてしまう懸念がある。
【課題を解決するための手段】
【００１４】
本発明では、上記課題を解決するために、定常および非定常の状態を検知する少なくとも１つ以上の端末機器との通信を行う警報装置において、前記警報装置は、暗証キー入力画面を使って暗証キーを入力する暗証キー入力部と、前記暗証キー入力部より入力された暗証キーを認証して該警報装置の所定動作の実行可否を判断する制御部とを備え、前記端末機器からの通信内容が所定のシーケンスと異なる場合には前記暗証キー入力画面の表示状態を不規則に変更する暗証キー機能を備えた構成としている。
【００１５】
このように非定常を検知した端末機器の設置箇所や、暗証番号を入力する画面を表示させるまでの警報装置のスイッチ操作の操作順シーケンスなどが普段と異なる場合には、侵入者などの家人以外の者が暗証番号の盗用操作をしている可能性が考えられることから、こういった場合にのみ暗証キー入力画面を変更することにより、家人が日常に行う入力操作の利便性を損なう事なく、画面の傷や汚れから暗証番号を構成する暗証キーを特定できないようにすることで暗証キーの盗用を防止するものである。
【発明の効果】
【００１６】
このように、本発明によれば、家人の日常の暗証キーの入力操作の利便性を損なったり暗証キーを複雑化することなく、経年的な傷や指紋跡などの汚れから暗証キーが漏洩する懸念が低減できる警報装置およびプログラムが提供できる。
【発明を実施するための最良の形態】
【００１７】
第１の発明は、定常および非定常の状態を検知する少なくとも１つ以上の端末機器との通信を行う警報装置において、前記警報装置は、暗証キー入力画面を使って暗証キーを入力する暗証キー入力部と、前記暗証キー入力部より入力された暗証キーを認証して該警報装置の所定動作の実行可否を判断する制御部とを備え、前記端末機器からの通信内容が所定のシーケンスと異なる場合には前記暗証キー入力画面の表示状態を不規則に変更する暗証キー機能を有して構成するようにしている。このことにより、家人の日常の暗証キーの入力操作の利便性を損なったり暗証キーを複雑化することなく、経年的な傷や指紋跡などの汚れから暗証キーが漏洩する懸念が低減できるようになっている。
【００１８】
第２の発明は、第１の発明に加えて、所定のシーケンスと異なる場合が、家人が宅外と宅内とを出入りする際の所定経路以外の経路を検知するよう設置された端末機器が非定常の状態を検知した場合とする構成としている。このことにより、通常家人が利用する出入り口以外の端末機器が異常を検知した際には、侵入者と想定して、暗証キー入力画面を変更して暗証キーの盗用が防止できるようになっている。
【００１９】
第３の発明は、第１の発明に加えて、所定のシーケンスと異なる場合が、暗証キー入力画面を表示する際の警報装置の操作シーケンスが所定の操作シーケンスと異なる場合とする構成としている。このことにより、通常と異なる警報装置の操作が行われた場合には、侵入者と想定して、暗証キー入力画面を変更して暗証キーの盗用が防止できるようになっている。
【００２０】
第４の発明は、第１の発明に加えて、入力画面の表示状態を不規則する変更は、表示画面に対する暗証キー入力画面の相対位置を変更する構成としている。このことにより、画面の傷や汚れなどの箇所と暗証キーの対応関係を付かなくして、暗証キーが漏洩しにくくしている。
【００２１】
第５の発明は、第１の発明に加えて、入力画面の表示状態を不規則にする変更は、暗証キー入力画面内の各暗証キーの順序を変更する構成としている。このことにより、画面の傷や汚れなどの箇所と暗証キーの対応関係をを付かなくして、暗証キーが漏洩しにくくしている。
【００２２】
第６の発明は、第１ないし第５の発明のいずれかに記載の警報装置の少なくとも一つの手段をコンピュータに実行させるためのプログラムとしている。この構成によれば、プログラムであるので電気・情報機器、コンピュータ等のハードリソースを協働させて本発明の警報装置の少なくとも一部を容易に実現することができる。また、記録媒体に記録したり通信回線を用いてプログラムを配信したりすることでプログラムの配布・更新やそのインストール作業が簡単にできる。
【００２３】
以下、本発明の実施の形態について、図面を用いて一実施形態について詳細に説明する。なお、この実施の形態によって本発明が限定されるものではない。
【００２４】
（実施の形態１）
図１は、本発明の実施の形態１における警報装置の構成の一例を示したブロック図である。
【００２５】
図１の主制御部１は、警報装置全体の制御を行い、マイクロコンピュータとプログラム及びその周辺回路で構成する。グラフィカル・ユーザインターフェイス部２（以下、ＧＵＩ部２）は、表示装置３にユーザとの対話操作画面を表示するものであり、プログラムに従って数字キーなどのボタンやアイコン、図形などの画像部品オブジェクトを配置すると共に、画像部品オブジェクトの表示座標やサイズ、境界線の種別や太さ、背景色や前面色などの属性を管理している。暗証キー入力画面もＧＵＩ部２により表示装置３上に表示する。
【００２６】
タッチパネル４は、液晶やブラウン管などで構成する表示装置３の前面部に抵抗膜を塗布して縦横方向の抵抗成分を出力するように構成する。このタッチパネル４からの縦つまりＹ方向、および横つまりＸ方向の抵抗成分は、ユーザの押圧位置に応じてそれぞれ変化するため、これを座標変換部６により電圧信号に変換して取り込み表示装置３でのＸＹ座標に変換して主制御部１を介してＧＵＩ部２に入力する。
【００２７】
通信部８は、人感センサや開閉センサなどの端末機器と通信を行い、端末機器が侵入者などを検知した旨の電文を送信した際に、この電文を受信して主制御部１に入力する。
【００２８】
以上の説明において、ＧＵＩ部２や座標変換部６、暗証キー認証部７、通信部８は、主制御部１のプログラムを動作させるマイクロコンピュータと同じマイクロピュータ上で動作するプログラムとして構成しても構わない。
【００２９】
次に、図２は、本発明の実施の形態１における暗証キー入力画面の一例であり、暗証番号や電話番号などの数字情報をユーザが入力する画面などに使用する画面の一例である。
【００３０】
図２の１１〜１６に示す「１」、「２」、「３」…や、「決定」「取消」などの文字を囲んだ網掛け枠は、ボタンを示す画像部品オブジェクトの一例であり、各画像部品オブジェクトの大きさや形状、色などの属性はＧＵＩ部２が管理し、主制御部１のプログラムから画像部品オブジェクトの識別ＩＤと属性をＧＵＩ部２に受け渡すことにより、ＧＵＩ部２により画面上に表示される。各画像部品オブジェクトが押圧されて選択された場合に行うべき処理は、画像部品オブジェクトの識別ＩＤをキーとして対応する実行プログラムが主制御部１に記憶される。
【００３１】
例えば、画像部品オブジェクト１５を押圧した際には、テキスト表示フィールド１０に「２」のアスキーコードを表示して記憶するプログラムが記憶されており、画像部品オブジェクト１２の「決定」が選択された場合には、テキスト表示フィールド１０に表示された数字列を暗証番号として暗証キー認証部７に入力するプログラムが記憶されている。
【００３２】
図１の暗証キー認証部７では、入力された暗証番号を内部に記憶した暗証番号と比較して判定し、判定結果を主制御部１に返す。主制御部１ではこの判定結果により、その可否により警報を解除するなど次に実行する処理の実行可否を判断するものである。
【００３３】
図３は、表示装置３の画面上に図２で示した暗証キー入力画面１７を表示した例であり、表示装置３の画面サイズに比べて小さい画面サイズでポップアップ表示し、画面位置決定部５が決定した左上コーナーの座標を基点にして表示する。
【００３４】
例えば、通信部８が端末機器より受信した電文が、主制御部１により所定の端末機器から送信された電文であったかどうかが判定され、この判定結果が画面位置決定部５に入力される。画面位置決定部５は、この判定結果が所定の端末機器でなかった場合、図３で示す通常の表示位置に暗証キー入力画面１８とは異なる表示位置に暗証キー入力画面１９を表示する。
【００３５】
従って、もし家人が「１１１１」という暗証番号を登録して日々使用しており、暗証キー入力画面１８の「１」の箇所に傷や汚れが発生したとしても、暗証キー入力画面１９ではこの位置に対応して表示された数字キーは無いことになり、「１」キーを暗証番号の一部として使っているといった暗証番号の盗用に関する情報の漏洩の危険を防止できる。
【００３６】
以下に、図５のフロー図を使って本動作の動作フローを説明する。
【００３７】
まず通常の家人が帰宅して警報を解除する場合の例を説明する。今、本実施の形態の警報装置を検知を行うモードにして外出した後、帰宅して家屋内に入ると玄関付近に取り付けた人感センサや玄関ドアに付けた開閉センサなどの端末機器が反応し、侵入者を通報した旨の電文が警報装置に送信される（ステップ２１）。
【００３８】
警報装置は、予め設定された１分〜数分間といった所定の警報ディレイ時間のカウントダウンに入る（ステップ２２）。家人はこのディレイ時間内に警戒解除を行うための暗証キー入力画面を所定のボタンを操作して表示させる（ステップ２３）。
【００３９】
警報装置はディレイ時間内であることを判断し（ステップ２４）、電文を送信した端末装置が玄関に敷設した端末装置（所定の端末装置）であることを判定し（ステップ２５）、所定のボタンを操作して暗証キー入力画面を表示させたことを判定し（ステップ２６）、通常の暗証キー入力画面を通常位置に表示する（ステップ２７）。家人は表示された日常使い親しんでいる暗証キー入力画面を使って暗証番号を入力し（ステップ２９）、暗証番号が正しく認証され（ステップ３０）、警報発令が解除される（ステップ３３）。
【００４０】
次に、図５において侵入者が窓などから侵入した場合には、窓に敷設した人感センサなどの警報機器から検知の電文が警報装置に送信される（ステップ２１）。警報装置では、玄関に敷設された所定の端末装置以外からの送信であることを判断し（ステップ２５）、通常家人が使っている暗証キー入力画面とは異なる暗証キー入力画面を表示する（ステップ２８）。これにより画面の汚れや傷などから暗証番号に関する情報が読み取られる危険が低下し、侵入者が正しい暗証番号を入力して認証できない間に、間違った暗証番号の入力回数が規定回数を越えたり（ステップ３１）、所定のディレイ時間をオーバーして（ステップ２４）、警報が発令される（ステップ３２）。
【００４１】
また、万が一、所定の端末装置に設定している玄関などから侵入された場合でも、通常は暗証キー入力画面を表示させるまでに、一時的にＯＦＦしている表示画面３の表示を再点灯させてから「警戒メニュー」を選択して暗証キー入力画面を表示するためのキーをタッチするなどの何段階かの操作が必要である。こうしたＯＦＦしている表示画面３を再点灯させるなどの各操作も、タッチパネル４のどこかを押圧しさえすれば再点灯する方法や、警報装置に併設された押ボタンを押圧して再点灯する方法、などの幾つかの操作方法を兼ね備える場合が多い。
【００４２】
このため、暗証キー入力画面を表示するための操作が、家人が日常行っている所定の操作と異なる場合には、これを判断して（ステップ２５）、通常家人が使っている暗証キー入力画面とは異なる暗証キー入力画面を表示するようにする事もできる。
【００４３】
また、図３のように暗証キー入力画面の表示位置を不規則な位置に変更する以外の別の表示方法として、暗証番号以外の機能を選択する画面、例えば図４の表示画面３に細線で示すような警戒処理の設定画面など、他の画面のボタン位置と重なる位置に暗証キー入力画面を表示するようにしてもよい。特に、「メニュー」に戻るためのキーや前の画面に戻るための「戻る」キーなど、頻繁に使用されるキーと重ねておけば、画面に汚れや傷があっても、どの画面の操作で付いたものかが判別できないため、暗証番号に使われた数字かどうかを特定することが困難となる。
【００４４】
なお、暗証キーとして表示されるラベルは、数字に限定されず、アルファベットや“＃“などの記号、特定のコードと対応付けされた絵柄などが混じっていてももちろん構わないものである。
【００４５】
また、以上の図３の説明では、暗証キー入力画面を通常の表示位置と異なる表示位置に表示する場合の例では、同じ暗証キー入力画面の表示位置を変えているだけであるが、入力画面内の数字キーの並び方をランダムに変えた画面や、ダミーで暗証番号の桁数が所定の４桁以上入力できる形式の画面など、入力画面自体を異なる形式にしても有効なものである。
【００４６】
なお、所定の端末機器以外が反応した場合や、所定の操作以外で暗証キー入力画面を表示させた場合には、警報の解除自体が一切不可能なように構成することも可能であるが、家人も日常と異なる操作を行うことも有りうると考えられるため、本実施の形態では通常と異なる暗証キー入力画面でも正しい暗証番号を入力すれば警報解除が可能な構成を説明した。
【産業上の利用可能性】
【００４７】
以上のように、本発明によれば、家人の日常の暗証キーの入力操作の利便性を損なったり暗証キーを複雑化することなく、経年的な傷や指紋跡などの汚れにより暗証キーが漏洩する懸念が低減できる警報装置などに適用できる。
【図面の簡単な説明】
【００４８】
【図１】本発明の実施の形態１の情報装置の構成の一例を示すブロック図
【図２】実施の形態１の暗証キー入力画面の一例を示す略図
【図３】実施の形態１の暗証キー入力画面を異なる位置に表示する一例を示す図
【図４】実施の形態１の暗証キー入力画面を異なる位置に表示する別の一例を示す図
【図５】実施の形態１の情報装置の動作の一例を示す略フロー図
【符号の説明】
【００４９】
１  主制御部（制御部）
２  ＧＵＩ部（暗証キー入力部）
３  表示装置（暗証キー入力画面）
４  タッチパネル（暗証キー入力部）
５  画面位置決定部（暗証キー入力部）
６  座標換算部（暗証キー入力部）
７  暗証キー認証部（制御部）
１７、１８、１９  暗証キー入力画面
【図１】
2006146408.tif 000003
【図２】
2006146408.tif 000004
【図３】
2006146408.tif 000005
【図４】
2006146408.tif 000006
【図５】
2006146408.tif 000007